(57)【要約】【課題】移動体受信機で、移動により刻々と変化する受信可能局を更新するエリアプリセット機能の実装において、受信可能局のデータベースが古くなることにより、エリアプリセットが誤動作することを防ぐ。【解決手段】デジタル放送を受信する放送受信部７と、現在位置を特定する位置検出部４と、位置毎に受信可能な放送局を特定する放送局データを格納した放送局データベース１と、前記位置検出部で検出した現在位置に対応する前記放送局データを検索し、放送受信部７で受信した放送波に多重されたＮＩＴ（Ｎｅｔｗｏｒｋ  Ｉｎｆｏｒｍａｔｉｏｎ  Ｔａｂｌｅ）の情報を用いてチャンネル設定情報を作成する受信制御部５とを備えることにより、データベースの不備を補完し、より正確なエリアプリセットを実現する。【選択図】図１
2008109256.tif 000002
【特許請求の範囲】
【請求項１】
デジタル放送を受信する放送受信部と、
現在位置を特定する位置検出部と、
位置毎に受信可能な放送局を特定する放送局データを格納した放送局データベースと、
前記位置検出部で検出した現在位置に対応する前記放送局データを検索し、チャンネル設定情報を作成するチャンネル設定作成部と、
前記チャンネル設定情報に基づき選局する選局部と、
前記放送受信部で受信した放送波に多重されたＮＩＴ（Ｎｅｔｗｏｒｋ  Ｉｎｆｏｒｍａｔｉｏｎ  Ｔａｂｌｅ）の情報を蓄積するＮＩＴデータベースと、
前記ＮＩＴの情報を用いて前記チャンネル設定情報を更新するチャンネル設定更新部と、
を備えたデジタル放送受信機。
【請求項２】
周波数を順次に検索し受信可能な放送局を抽出するオートプリセット部と、
ユーザによる前記オートプリセット部の実行時に、新たに見つかった放送局を前記チャンネル設定情報に追加するチャンネル設定追加部と、
を備えた請求項１記載のデジタル放送受信機。
【請求項３】
前記チャンネル設定作成部を、周期的又は移動により実行するチャンネル設定実行部と、
前記チャンネル設定実行部の実行中に前記オートプリセット部を実行した際に、前記チャンネル設定部の実行を停止するオートプリセット中断部と、
を備えた請求項２記載のデジタル放送受信機。
【請求項４】
前記オートプリセット中断部により停止されたオートプリセット部の実行を、前記位置検出部により県域を跨いで移動したことを検出した際に再開するオートプリセット再開部と、
を備えた請求項３記載のデジタル放送受信機。
【発明の詳細な説明】
【技術分野】
【０００１】
本発明は、デジタルテレビ放送受信機に関するものである。
【背景技術】
【０００２】
テレビ放送では、放送規格で定められたチャンネル数よりも実際に放送される放送局数のほうがはるかに少ないため、あらかじめ現在位置で受信可能な放送局をリストアップしてチャンネル設定領域（以後、ＣＨ設定領域と表記する）に格納し、リモコンまたは本体のチャンネルアップ・ダウンボタンを押すことにより、ＣＨ設定領域に格納されたチャンネルを順次選局する機能を提供したり、１〜１２の数字ボタンに放送局を割り当てて、リモコンの数字ボタンで選局させたり、ＣＨ設定領域に格納されているチャンネルリストを一覧表示してそこから選局したいチャンネルを選択させるなどのユーザーインターフェースを提供することが一般的である。
【０００３】
ＣＨ設定を行う手段として、放送規格で定義される周波数の範囲を自動的に順次選局し、受信可能な局を探してＣＨ設定を行う機能が実用化されている。この機能は、起動するとＣＨ設定が自動的に行われることから、オートプリセットの名称で呼ばれることがあるため、以降オートプリセットと呼称する。
【０００４】
家庭用の固定受信機では、新しい放送局が開局したなどの事例を除いて、受信可能な放送局が基本的に変わらないため、チャンネルプリセット機能を使って設定を行う作業は１度で済む。しかし、移動体受信機では移動に従って受信可能な放送局が変わるため、チャンネルプリセットを頻繁に行う必要が生じてくる。
【０００５】
これを解決するために、移動体受信機では特許文献１にあるような地点ごとの受信可能な放送局を判定する放送局データベースを用意し、かつＧＰＳ（Ｇｌｏｂａｌ  Ｐｏｓｉｔｉｏｎｉｎｇ  Ｓｙｓｔｅｍ）受信機能などを用いて現在位置を特定し、放送局データベースより現在地点で受信可能な放送局を判定する機能が実用化されている。この機能は、現在位置のエリアで受信可能な放送局を判定することから、エリアプリセットの名称で呼ばれることがあるため、以降エリアプリセットと呼称する。
【０００６】
エリアプリセット機能は、主にＧＰＳ受信機能を持つカーナビゲーションに内蔵されたテレビチューナーやラジオチューナーなどに実装されて商品化されている。
【０００７】
図５は、従来の技術でエリアプリセットを実現するブロック図である。
【０００８】
放送局データベースには、現在位置に対して受信可能な放送局を特定するための情報が格納されている。これにはいろいろな方式があって、たとえば全国を県単位などのブロックに区切ってそのブロックごとに受信可能な放送局のリストを保持し、現在地点から求めたブロックに対応した放送局リストを採用する方式や、放送局毎の電波塔の位置・出力強度・高度と受信機の現在位置から想定される電波強度を計算し、受信機の受信に必要な電波強度を満たしているかどうかで受信可能な放送局リストを作成する方式などがある。
【０００９】
受信可能な放送局が決まれば、それをＣＨ設定領域に格納する。
【００１０】
ところで、アナログテレビ放送は放送が開始されてから十分な期間が経過しており、放送局や中継局の増減がめったに起こらない状況にあるため、放送局データベースの作成がきわめて容易で、かつ情報が古くなって実用上の問題が起こる可能性が非常に低いといえる。
【特許文献１】特開平３−２４３０５３号公報
【発明の開示】
【発明が解決しようとする課題】
【００１１】
エリアプリセットを実現する際には、先に述べたとおり放送局データベースの情報が必要となるが、本発明が適用される日本の地上デジタル放送の現状（２００６年現在）を見ると、２０１１年の移行完了に向けて放送局や中継局が日々新しく開局している状況であり、放送局データベースを作成することが非常に困難である。また、作成したとしてもすぐに古い情報となってしまい、エリアプリセットが誤動作することが考えられる。
【００１２】
これを解消するため、データベースを開局にあわせて更新する方法もあるが、市場に出た受信機のデータベースを更新するには多大なコストがかかるため、データベースの更新を行わずに誤動作を解消するということが課題となる。
【００１３】
また、現在市場にある受信機では、エリアプリセットとオートプリセットの両方の機能切り替えて使えるようにしている商品が発売されている。これらの商品では、２つの機能の使い分けを視聴者の判断でする方式を取る場合が多く、操作が難しいという課題がある。
【００１４】
本発明は、この２点の課題を解決する手段を提供することを目的とする。
【課題を解決するための手段】
【００１５】
本発明のデジタル放送受信機は、上記課題を解決するために、デジタル放送を受信する放送受信部と、現在位置を特定する位置検出部と、位置毎に受信可能な放送局を特定する放送局データを格納した放送局データベースと、前記位置検出部で検出した現在位置に対応する前記放送局データを検索し、チャンネル設定情報を作成するチャンネル設定作成部と、前記チャンネル設定情報に基づき選局する選局部と、前記放送受信部で受信した放送波に多重されたＮＩＴ（Ｎｅｔｗｏｒｋ  Ｉｎｆｏｒｍａｔｉｏｎ  Ｔａｂｌｅ）の情報を蓄積するＮＩＴデータベースと、前記ＮＩＴの情報を用いて前記チャンネル設定情報を更新するチャンネル設定更新部と、を備える。
【発明の効果】
【００１６】
本発明のデジタル放送受信機は、上記の構成により、放送局データベースの情報が古くても、ＮＩＴ情報を用いて最新の情報に更新することができ、適切な選局を行うことができる。さらに、データベースの情報が変更になるたびにバージョンアップを行う必要がなくなるため、視聴者の利便性が向上する。
【発明を実施するための最良の形態】
【００１７】
（実施の形態１）
以下、本発明の実施の形態を、図面を参照して説明する。
【００１８】
図１は本発明の実施の形態１におけるデジタル放送受信機の構成を示すものである。
【００１９】
図１において、１は放送局データベース、２は受信可能局判定部、３はＧＰＳアンテナ、４はＧＰＳ座標判定部、５は受信制御部、６は放送受信用アンテナ、７はデジタル放送受信部、８はＣＨ設定格納領域、９はＮＩＴ格納領域である。
【００２０】
放送局データベース１には、位置に対応し受信可能局を判定するために必要な情報が保持されている。ところで、放送局データベース１の表現方法にはいろいろなものがあるが、ここで示す実施の形態では、図２の放送局データベースの例に示すように、放送局に対して受信可能な地域のリストを保持するものとする。
【００２１】
ここで、図２の放送局データベースの例を説明する。図２において、１０は放送局名、１１は受信可能地域リスト、１２はネットワークＩＤ、１３は物理ＣＨ、１４はサービスＩＤ、１５は更新日時をそれぞれ格納する列を表す。
【００２２】
放送局名１０の列を見ると、放送局Ａと放送局Ｂの２つの放送局が登録されていることがわかる。なお、本実施の形態では一例として２つの放送局のみを登録しているが、全国の放送局のデータを登録した場合には、２００を超える局が登録される。受信可能地域リスト１１の列には、その局が受信可能な１つまたは複数の地域コードが登録される。この地域コードは、県または市町村をあらわす重複しない数値である。ネットワークＩＤ１２は、放送局に対応するネットワークＩＤを格納するもので、ＡＲＩＢ規格で定義された数値が格納される。物理ＣＨ１３は、放送局が放送を行っている周波数をあらわす番号である。サービスＩＤ１４は、その放送局が持つサービスＩＤの一覧であり、１つの局は複数のサービスＩＤを持つことが出来る。なお、受信機の提供する選局機能としては、物理ＣＨを選択させる選局機能と、このサービスＩＤを選択させる選局機能のいずれかを提供するのが一般的である。更新日時１５は、その行に対応する情報が更新された日時を示す。
【００２３】
ＧＰＳ座標判定部４およびＧＰＳアンテナ３により、現在位置の緯度・経度・高度などのＧＰＳ座標が決定する。また、ＧＰＳ座標判定部４では、ＧＰＳ座標を放送局データベースの受信可能地域リスト１１の形式にあわせた形式に現在位置情報を変換する。
【００２４】
受信可能局判定部２は、ＧＰＳ座標判定部４で確定した現在位置情報と放送局データベースの受信可能地域リストを比較し、一致した局を現在位置で受信可能な放送局として確定する。
【００２５】
受信制御部５は、受信可能局判定部２から受信可能局の情報を受け取る。これをＣＨ設定格納領域８に格納するが、ここでは本発明の特徴であるＮＩＴ情報の参照が行われる。受信制御部５は、受け取ったネットワークＩＤを元に、ＮＩＴ格納領域９からＮＩＴ情報を検索する。ＮＩＴ情報が見つかった場合は、ＮＩＴ情報を放送局データベースの情報と比較し、ＣＨ設定格納領域８に受信可能局の情報を格納する。ＣＨ設定情報へのＮＩＴ情報の反映は、放送局データベースの作成日時をＮＩＴの受信日時と比較し、ＮＩＴのほうが新しいときのみ行われる。放送局データベースにはサービスＩＤのリストがあるが、ＮＩＴ情報にもサービスＩＤのリストがあるため、ＮＩＴ情報を利用することで、サービスＩＤの変更に追従することが出来る。
【００２６】
図３はＮＩＴ情報の格納例である。２０は放送局名、１６はネットワークＩＤ、１７は物理ＣＨ、１８はサービスＩＤをそれぞれ表す列である。放送局名２０の列を見ると、放送局Ａと放送局Ｂの２つの放送局が登録されていることがわかる。なお、本例はＮＩＴが持つ一部の情報を抜き出して保存する例を示したが、この例で記載した以外の情報を保存したり、送られてくるＮＩＴそのもののバイナリイメージで保存してもよい。また、ＮＩＴとともにＢＩＴ（Ｂｒｏａｄｃａｓｔ  Ｉｎｆｏｒｍａｔｉｏｎ  Ｔａｂｌｅ）を格納し、これに記述される系列ＩＤなどの情報を参照してもよい。
【００２７】
図２に示す放送局データベースにおいて、図３に示すＮＩＴ格納領域９上のＮＩＴ情報を反映した場合のＣＨ設定情報を図４に示す。放送局データベースにおける放送局ＡのサービスＩＤは、「６００１，６００２」であるのに対して、ＮＩＴ情報における放送局ＡのサービスＩＤは、「６００１，６００２，６００３」である。この時、放送局データベースの更新日時「２００６／１／６  ６：１４：１５」に対して、ＮＩＴ情報の受信時間は「２００６／１０／６  ６：１４：１５」であり、ＮＩＴ情報の方が新しいため、ＮＩＴ情報上のサービスＩＤがＣＨ設定情報として、反映される。また、放送局データベースにおける放送局Ｂの物理ＣＨは、「１４」であるのに対して、ＮＩＴ情報における放送局Ｂの物理ＣＨは、「１５」である。この時、放送局データベースの更新日時「２００６／１／５  ８：１５：０６」に対して、ＮＩＴ情報の受信時間は「２００６／１０／５  ８：１５：０６」であり、ＮＩＴ情報の方が新しいため、ＮＩＴ情報上の物理ＣＨがＣＨ設定情報として、反映される。
【００２８】
以上のように、本発明のデジタル放送受信機は、ＮＩＴの情報により放送局データベースの情報を補完するため、放送局データベースの情報が古くても、ＮＩＴ情報を用いて最新の情報に更新することができ、適切な選局を行うことができる。また、放送局データベースの情報が変更される度に、データベースのバージョンアップを行う必要がなくなるため、視聴者の利便性が向上する。
【００２９】
（実施の形態２）
次に、本発明の実施の形態２を説明する。
【００３０】
先に説明したエリアプリセット機能は、受信可能局判定部２が一定距離の移動や一定周期などの時間的な要因によって、周期的に起動することによって、常に現在位置で受信可能な局をＣＨ設定格納領域８に持つことができる。
【００３１】
ここで、オートプリセット機能を図１で説明する。
【００３２】
まず受信制御部５がリモコン信号などの視聴者の操作を検出し、オートプリセットを開始する。受信制御部５は、放送規格で定められた周波数の範囲をデジタル放送受信部７へ制御コマンドを送ることにより順次選局する。まず１局を選局すると、受信制御部５は受信状況を確認し、ＮＩＴ受信を試みる。このとき、現在位置で放送を受信することができればＮＩＴが受信される。受信制御部５は受信した現在選局している周波数（物理ＣＨ）とＮＩＴに含まれる情報から、ＣＨ設定格納領域８にＣＨ設定情報を保存する。
【００３３】
このように、オートプリセットはエリアプリセットと違って実際に選局して受信した情報を元にＣＨ設定を行うため、ＣＨ設定情報としてはエリアプリセットよりも正確である。
【００３４】
現在市場にある車載用受信機の商品仕様においては、オートプリセットとエリアプリセットを排他的に選択し、いずれかのプリセット機能でＣＨ設定を行い、その情報を元に選局する場合が多い。
【００３５】
次に本実施の形態における処理手順を説明する。まず視聴者がエリアプリセットを選択し、エリアプリセット機能によってＣＨ設定格納領域８にＣＨ設定情報が格納される。エリアプリセット実行後、オートプリセット機能を実行する手段として、リモコンに実行ボタンを設ける、もしくはタッチパネルで操作可能なユーザーインターフェースとして、オートプリセットの実行ボタンのタッチボタンを設ける。
【００３６】
実行ボタンが押されたことを検知した受信制御部５は、オートプリセットを実行する。この際、ＣＨ設定格納領域８に格納されたエリアプリセットの情報を消さずに、オートプリセットの情報を追加する。
【００３７】
これにより、エリアプリセットによって設定されたＣＨ設定に不備があったとき、いまあるエリアプリセットの情報に、より正確なオートプリセットで得た情報を追加することが出来る。
【００３８】
追加の方法としては、オートプリセットで受信可能な局が見つからない物理ＣＨのＣＨ設定情報はエリアプリセットの情報をそのまま残し、受信できた局のみをＣＨ設定格納領域８に書き込む方法がある。
【００３９】
（実施の形態３）
次に、本発明の実施の形態３を説明する。
【００４０】
実施の形態２で説明したオートプリセットを実行したとき、受信可能局判定部２で実行されていたエリアプリセットの自動周期実行を停止する。これはエリアプリセットの実行によってオートプリセットの情報が上書きされるのを防ぐことを主な理由とする。
【００４１】
なお別の実施の形態としては、エリアプリセットの自動周期実行を停止せず、オートプリセットで追加した局はエリアプリセットでの削除の対象とせず、一定距離の移動、局のネットワークＩＤで定義される県域からの離脱など、エリアプリセットの受信不可という条件以外を要因にして削除する方法もある。
【００４２】
これらの方法により、オートプリセットによって追加した局がエリアプリセットの実行によって上書き消去することを防ぐことができる。
【００４３】
（実施の形態４）
次に、本発明の実施の形態４を説明する。
【００４４】
実施の形態２では、エリアプリセットの自動実行状態からオートプリセットを実行すると、エリアプリセットの自動実行状態を解除する。
【００４５】
エリアプリセットを解除した後、受信可能局判定部２がＧＰＳ座標判定部４より現在位置を定期取得し、移動距離を算出する。オートプリセットで取得した局が受信できなくなると思われる距離を移動したと受信制御部５が感知したときに、エリアプリセットの自動実行を再びオンにするよう受信可能局判定部２に指示する。なお、受信できなくなると思われる距離とは、たとえば局が対象とする県を円に近似したときの直径などがある。
【００４６】
また、距離以外に自動実行をオンにする方法として、局が局免許上受信対象としている県から出た、または県から一定距離はなれたなどの要因がある。
【００４７】
これらの方法により、オートプリセットで補完したデータを受信できるにもかかわらず消してしまうことなく、エリアプリセットによって現在位置で受信可能な局の追加削除も行うことができるようになる。
【産業上の利用可能性】
【００４８】
本発明のデジタル放送受信機は、現在受信可能な局を的確にＣＨ設定する機能を有するため、移動体受信機全般に有用である。
【図面の簡単な説明】
【００４９】
【図１】本発明の一実施の形態におけるデジタル放送受信機の構成を示すブロック図
【図２】放送局データベースの一例を示す図
【図３】ＮＩＴ情報の一例を示す図
【図４】ＣＨ設定情報の一例を示す図
【図５】従来のデジタル放送受信機の構成を示すブロック図
【符号の説明】
【００５０】
１    放送局データベース
２    受信可能局判定部
３    ＧＰＳアンテナ
４    ＧＰＳ座標判定部
５    受信制御部
６    放送受信用アンテナ
７    放送受信部
８    ＣＨ設定格納領域
９    ＮＩＴ格納領域
１０、２０、３０    放送局名
１１    受信可能地域リスト（地域コード）
１２、２１、３１    ネットワークＩＤ
１３、２２、３２    物理ＣＨ
１４、２３、３３    サービスＩＤ
１５、３４    更新日時
２４    受信日時
【図１】
2008109256.tif 000003
【図２】
2008109256.tif 000004
【図３】
2008109256.tif 000005
【図４】
2008109256.tif 000006
【図５】
2008109256.tif 000007